(57)【要約】【課題】 高さ、傾斜角度及び方向を調整可能な回転式書見／筆記台を提供する。【解決手段】該底盤１４上にターンテーブルを設けてターンテーブル上には傾動可能な摩擦ちょうつがいを介して棒状スライドレール７を設け、該スライドレール上にはスライドカバー９を介して読書／筆記板６を固定し、該読書／筆記板をスライド移動及び傾動可能とする。該ターンテーブル下側にはターンテーブルギア３を設けると共に、該底盤の前側には弾性定位ピン５を設けて該ターンテーブルギアの任意の２個のギア間に弾性係合することにより、所定位置でターンテーブルを固定する。【選択図】図１
0003126183.tif 000002
【実用新案登録請求の範囲】
【請求項１】
底盤上にターンテーブルを設け、
ターンテーブル上に摩擦ちょうつがいを介して棒状スライドレールを傾動可能に設置し、
該スライドレール上にはスライドカバーを介して読書／筆記板を固定して、読書／筆記板をスライドレールに沿ってスライド移動可能とすると共にスライドレールと該読書／筆記板間にはスライド移動定位装置を設け、
該読書／筆記板底部にはブックスタンドを設け、読書／筆記板上には書籍固定器を設けたことを特徴とする回転式書見／筆記台。
【請求項２】
前記ターンテーブルは、ベアリングを介して該底盤内に設置され、該ターンテーブル外縁にターンテーブルギアを形成すると共に該底盤の前側には弾性定位ピンを設けて、該弾性定位ピンは該ターンテーブルギアの任意の２個のギア間に弾性係合してその回転を掛止可能とし、
該底盤の上側に設けた弾性定位ピン制御ボタンを該弾性定位ピンと係合せしめて、定位することを特徴とする請求項１記載の回転式書見／筆記台。
【請求項３】
前記スライドレールと該読書／筆記板間に設けたスライド移動定位装置は、
該スライドレール内部に設けたラックと該読書／筆記板底端に設けた該ラック上に弾発力により押圧されるバネつめからなり、
該弾性つめは該ラック上に弾発力により押圧されて係合し、該弾性つめの反対側には該読書／筆記板底端外に伸出したレバーを設けて、該レバー操作によりバネつめの係合を開放可能とし、
更に、該スライドレールと該スライドカバー間には開放状態でそのバネ作用によりスライドレール最上端にスライドカバーを引き上げる弾性回復装置を設置した、
ことを特徴とする請求項１記載の回転式書見／筆記台。
【考案の詳細な説明】
【技術分野】
【０００１】
本考案は、一種の読書や筆記を便利にする用具に関する。特に、隨意回転可能な書見／筆記台に係る。
【背景技術】
【０００２】
人は読書や筆記を書見台や机上において行うが、公知の書見台、机上は一定水準の平面を具えるため、公知の机上において読書や筆記を行う時には、書籍を机上に置き、手で書籍を押さえ読書を行う。しかしこのように公知の机上を用い読書を行う時には、ある一定の姿勢を保持しなければならないため、長時間一定の姿勢を保持することで、人は疲れ易くなり、健康に悪影響を及ぼすことさえある。
よって、各種読書姿勢に適した書見台が必要とされており、それにより筆記や読書の習慣を変えることが求められている。
一方、本考案者は2002年3月27日、書見／筆記台の特許(中国特許番号02209361.3)を申請し、書見／筆記台を公開した。しかし該構造の製品は比較的複雑で、外観も複雑に見え、美感を欠いており、しかもこの種の製品は筆記机上面に固定されていなかった。そのため本考案者は筆記机上面に固定可能な書見／筆記台を開発したが、該構造は書見／筆記台を筆記机上面上に固定することができる。しかしこの種の筆記机上面に固定する書見／筆記台は筆記机上面を基礎とし回転させることができないため、比較的狭い空間内での使用には一定の不便があり、使用範囲が限定されていた。
【特許文献１】特開２００５−２７８７７９号公報
【考案の開示】
【考案が解決しようとする課題】
【０００３】
公知構造には以下の欠点があった。
すなわち、公知の机を用いて読書を行う時には、ある一定の姿勢を保持しなければならないため、長時間一定の姿勢を保持することで、人は疲れ易くなり、健康に悪影響を及ぼすことさえあった。これに対して本考案者は２種の書見／筆記台を開発した。しかし１種は比較的複雑で、外観も複雑に見え美感を欠いており、筆記机上面に固定されておらず、もう１種は書見／筆記台を筆記机上面上に固定することができるが、筆記机上面を基礎とし回転させることができないため、比較的狭い空間内での使用には一定の不便が残されており、使用範囲が限定されていた。
本考案は上記構造の問題点を解決した回転式書見／筆記台を提供するものである。
【課題を解決するための手段】
【０００４】
上記課題を解決するため、本考案は下記の回転式書見／筆記台を提供する。
それは回転式の書見／筆記台であって、一体型の構造で、しかも左右任意の角度の回転が可能で、隨意に狭い空間に設置して使用可能であるため、種々の条件下での読書／筆記に適合することができ、
すなわち、それは読書、筆記、キーボード操作、絵描きに用い、底盤を含み、該底盤上にはターンテーブルを設置し、該ターンテーブル上には摩擦ちょうつがいを設置し、該摩擦ちょうつがいを通して該ターンテーブル上に棒状スライドレールを設置し、該スライドレール上にはスライドカバーを設置し、該スライドカバー上には読書／筆記板を固設し、該スライドレールと該読書／筆記板間にはスライド移動定位装置を設置し、
該ターンテーブルはベアリングを通して該底盤内に設置され、該ターンテーブル下側には該ターンテーブルギアを同軸設置し、該底盤の前側には弾性定位ピンを設置し、該弾性定位ピンは該ターンテーブルギアの任意の２個のギア間に弾性係合し、
該底盤の上側には弾性定位ピン制御ボタンを設置し、該弾性定位ピンと係合定位し、
該スライドレールと該読書／筆記板間に設置するスライド移動定位装置は該スライドレール内部に設置するラックと該読書／筆記板底端に設置するバネつめを含み、該弾性つめは該ラック上で弾性圧合し、該弾性つめの反対側にはレバーを設置し、該レバーは該読書／筆記板底端外に伸出し、
該スライドレールと該スライドカバー間には弾性回復装置を設置し、両端はそれぞれ該スライドレールと該スライドカバー上のバネ装置に固定し、該バネ装置の自然状態はスライドレール最上端の状態で、
さらにそれはブックスタンドを含み、該ブックスタンドは長方形の板体で、水平に該読書／筆記板の底端に固設され、板面と約90度の角度を呈し、
該読書／筆記板上にはさらに書籍固定器を設置し、該書籍固定器は固定の弾性書籍固定器、取外し式の磁性書籍固定器或いは可動の弾性書籍固定器で、
該回転式書見／筆記台は該スライドレールに沿ってスライド移動するスライドカバー上に固設され、しかもスライド移動定位装置は任意の定位が可能で、こうして隨意に該読書／筆記板を該スライドレール上の位置で調整することができ、同時に該スライドレールは該摩擦ちょうつがいを通して該ターンテーブル上に設置され、これにより該スライドレールの角度は該摩擦ちょうつがいの円心を使用し調整することができ、該読書／筆記板の角度を調整し、該摩擦ちょうつがいは該ターンテーブル上に設置され、任意に角度回転を調整可能で、該ターンテーブルは該底盤上に設置する弾性定位ピンにより定位され、該ターンテーブルとその上に位置する読書／筆記板は任意の角度に定位され、こうして一種の回転角度を形成し、該読書／筆記板の高度も任意に調整可能となり、しかも該読書／筆記板の角度は一定の範囲内で任意に調整可能で、こうして人々の読書／筆記習慣を変え、読書／筆記が原因の頚椎、腰椎等の疾病を予防することを特徴とする回転式書見／筆記台である。
【考案の効果】
【０００５】
上記のように、本考案の読書／筆記板は角度を一定の範囲内で任意に調整可能であるため、人々の読書／筆記習慣を変え、読書／筆記時の姿勢が原因とされる頚椎、腰椎等の疾病を予防することができる。
【考案を実施するための最良の形態】
【０００６】
図1、2、3に示すように、本考案の回転式書見／筆記台は底盤14を基礎として、該底盤14の中央にターンテーブル15を設置する。該ターンテーブル15上には棒状スライドレール7を摩擦ちょうつがい13により傾動可能に支持固定する。
該スライドレール7上には、読書／筆記板6を固定するスライドカバー9を被せて
該読書／筆記板6を、該スライドカバー9と一体に該スライドレール7に沿ってスライド移動可能とし、該読書／筆記板6の上下移動構造を構成する。
【０００７】
次に図1、3に示すように、該読書／筆記板6が該スライドレール7上において任意の位置に固定可能とするため、該スライドレール7内には該スライドレールの縦方向に沿ってラック10を設ける。該ラック10の歯面は該読書／筆記板6に向かう。該読書／筆記板6の底端には弾性つめ12を設置して、該弾性つめ12は該ラック10に対して弾発力により押圧されて、該歯と噛み合って係合することにより該読書／筆記板所定位置に固定する。該弾性つめ12は、該読書／筆記板6の底端に設置された回転軸11上に回動可能に設けられて、該回転軸11上に設けられたバネにより該つめ12に弾発力を付与する。該弾性つめ12は、さらにレバー2を具えて、該レバー2を動かすことにより該弾性つめ12を回動させて該弾性つめ12と該ラック10の係合を解除して、該読書／筆記板6を上下させることができる。
【０００８】
さらに図1、2に示すように、該ターンテーブル15はベアリングを介して該底盤14内に回転可能に設置され、該ターンテーブルは同軸の該ターンテーブル外縁ギア3を具えて、該ターンテーブル外縁ギア3と該ターンテーブル15は同時に回転する。該底盤14の前側には弾性定位ピン5と定位ピンボタン4を設置し、該定位ピン5の後端にはピンヘッドを設置する。該ピンヘッドは該外縁ギア3の任意の２個のギア間に係合されることにより該ギア3を固定しターンテーブルが回転しないように固定する。該弾性定位ピン5上には定位ピンボタン4を定位ピンの外縁ギアに対して固定と解除のそれぞれの位置で係合するようにする。
【０００９】
本考案は使用時に、該ターンテーブル15は任意の回転と定位が可能であるため、読書／筆記板6を適切な方向に向けて回転し、固定することが可能である。
さらに、該摩擦ちょうつがい13による傾動可能な構造により該スライドレール7に支持された読書／筆記板6の水平面に対する傾斜角度を適切な範囲内に調整することができる。
また、該スライドレール7と該スライドカバー9の相対的なスライド移動と定位機構により、該読書／筆記板6の高さを一定の範囲内において任意に調整可能とし、こうして該読書／筆記板の適切な高さ、傾斜角度、回転角度を3D調整し、様々な体形の使用者のニーズを満たすことができる。
本考案の読書／筆記板6の昇降機能をより容易により省力化するために、該スライドレール7と該スライドカバー9の間、或いは該スライドレール7と該読書／筆記板6間に弾性回復装置を設置することができる。例えば、該スライドレール7の内部に両端それぞれが該スライドレール7と該スライドカバー9上に固定されるバネ8を設置し、該バネ8の自然状態は該スライドカバー9の最高位置である。こうして該読書／筆記板6の高度を調整する時は、下方へ引き下げる操作のみで、再び上方へと調整する時には弾性回復力を用いるため省力が可能である。
【００１０】
続いて図1、2に示すように、本考案の読書／筆記板6の底端は上方へと湾曲し、異なる厚さの書籍を置くことができるブックスタンド1を設置可能である。また、各種様々な書籍の使用に対応するため、本考案の読書／筆記板6の周囲には固定式の弾性書籍固定器、磁性書籍固定器或いは各種可動性の取外し式書籍固定器を設置することができる。
【図面の簡単な説明】
【００１１】
【図１】本考案の側面透視構造指示図である。
【図２】本考案の正面立体構造指示図である。
【図３】本考案図1中のAの拡大構造指示図である。
【符号の説明】
【００１２】
1ブックスタンド
2  レバー
3  ターンテーブル外縁ギア
4  定位ピンボタン
5  弾性定位ピン
6  読書／筆記板
7スライドレール
8  バネ
9  スライドカバー
10  ラック
11  回転軸
12  弾性つめ
13  摩擦ちょうつがい
14  底盤
15  ターンテーブル
【図１】
0003126183.tif 000003
【図２】
0003126183.tif 000004
【図３】
0003126183.tif 000005
【手続補正書】
【提出日】平成18年8月16日(2006.8.16)
【手続補正１】
【補正対象書類名】実用新案登録請求の範囲
【補正対象項目名】請求項３
【補正方法】変更
【補正の内容】
【請求項３】
前記スライドレールと該読書／筆記板間に設けたスライド移動定位装置は、
該スライドレール内部に設けたラックと該読書／筆記板底端に設けた該ラック上に弾発力により押圧される弾性つめからなり、
該弾性つめは該ラック上に弾発力により押圧されて係合し、該弾性つめの反対側には該読書／筆記板底端外に伸出したレバーを設けて、該レバー操作により弾性つめの係合を開放可能とし、
更に、該スライドレールと該スライドカバー間には開放状態でそのバネ作用によりスライドレール最上端にスライドカバーを引き上げる弾性回復装置を設置した、
ことを特徴とする請求項１記載の回転式書見／筆記台。